(57)【要約】【課題】  ディスク装置の外部と内部の間でディスクを搬送するためのディスクローディング機構を備えたディスク装置であって、動力源たるモーターの回転制御を簡素な構造によって実現する。【解決手段】  ディスク装置１の外装を担うフレーム２には、少なくとも動力源たるモーター７と、前記モーター７の回転または停止をオンまたはオフの切換えによって制御するスイッチ１３を配設し、前記スイッチ１３のオンまたはオフの切換えを行う押圧部１４を前記フレーム２と一体に形成する。【選択図】図６
2011192328.tif 000002
【特許請求の範囲】
【請求項１】
ディスクを搬送する動力源と、前記動力源の起動または停止をオンまたはオフの切換えによって制御するスイッチと、前記スイッチのオンまたはオフの切換えを行う押圧部と、を備えたディスク装置であって、前記動力源と前記スイッチはディスク装置の外装部品を担うフレームに配設し、前記押圧部は前記フレームと一体に形成することを特徴とするディスクローディング機構を備えたディスク装置。
【請求項２】
前記フレームには、摺動可能なスライダーと、前記スライダーの摺動動作に連動して傾動するトラバースユニットを配設し、前記スライダーの摺動動作に連動して前記押圧部が可動することを特徴とする請求項１に記載のディスクローディング機構を備えたディスク装置。
【請求項３】
前記スイッチは、一軸方向へ可動する伸縮部分を有するプッシュスイッチであって、前記押圧部は前記伸縮部分の押圧方向に可動することを特徴とする請求項１または請求項２に記載のディスク装置。
【発明の詳細な説明】
【技術分野】
【０００１】
本発明は、ブルーレイディスク（Ｂｌｕ−ｒａｙ  Ｄｉｓｃ）やＤＶＤ（Ｄｉｇｉｔａｌ  Ｖｅｒｓａｔｉｌｅ  Ｄｉｓｃ）、或いはＣＤ（Ｃｏｍｐａｃｔ  Ｄｉｓｃ）などのディスクを媒体として記録／再生を行うディスク装置に係り、特に、ディスク装置の外部と内部の間でディスクを搬送するためのディスクローディング機構を備えたディスク装置に関するものである。
【背景技術】
【０００２】
ディスクローディング機構とは、ディスクをディスク装置の外部から前記ディスク装置内部の所定位置へ搬送するための機構であり、例えば、ディスク装置の外部と内部の間で往復移動を可能とするトレイを備え、前記トレイにディスクを載置し、モーターを動力源として前記トレイを搬送する機構や、ディスクの挿抜を直接行う挿入口を設け、前記挿入口の内部にディスクを搬送するための搬送ローラーを配設し、同じくモーターを動力源としてディスクを搬送する機構などがある。そして、前記ディスクローディング機構には、トレイまたはディスクの位置を検出して動力源たるモーターの回転を制御する手段を設けている。
【０００３】
特許文献１には、ディスクを載置して搬送するトレイの位置を一つのスイッチで検出するために、ディスク装置に装着したスイッチに近接して前記スイッチを押圧するレバーを枢着状態で回動可能に配設し、前記トレイの搬送動作によって上下移動と左右移動をするトラバースユニットの先端にＬ字片を設け、さらにトレイには前記レバーを押圧する突起部を別途設けた構造が記載されている。
【０００４】
【特許文献１】特開２００６−１８９５９号公報
【発明の開示】
【発明が解決しようとする課題】
【０００５】
特許文献１の構造によれば、トレイがディスク装置の内部にあるときはトラバースユニットがスイッチ側に移動し、レバーを枢着部分を中心に回動させてスイッチを押圧し、トレイが搬送途中のときは前記スイッチを押圧しない状態とし、トレイがディスク装置の外部にあるときはトレイの突起部によって前記レバーを押圧することが出来る。その結果、単一のスイッチによってトレイを搬送するモーターの制御が可能となり、また、スイッチの押圧方向より押圧することで前記スイッチの耐久性の向上が望める。しかし、ディスク装置にスイッチを押圧するための部品としてレバーを設ける必要があり、部品の増加に伴うディスク装置の費用高騰や、設置スペースの確保に伴うディスク装置の大型化が懸念される。また、トラバースユニットとトレイに夫々レバーを押圧するためのＬ字片や突起部を設ける必要があり、部品の形状やディスク装置の構造が複雑になることが考えられる。
【０００６】
本発明は上述した点に鑑みてなされたものであって、その目的とするところは、単一のスイッチによってディスクを搬送する動力源の制御を簡素な構造によって実現し、また、関連部品の集約によりディスク装置の小型化が出来、さらに、スイッチの耐久性向上を図ることが可能なディスクローディング機構を備えたディスク装置を提供することにある。
【課題を解決するための手段】
【０００７】
請求項１に係るディスクローディング機構を備えたディスク装置は、ディスクを搬送する動力源と、前記動力源の起動または停止をオンまたはオフの切換えによって制御するスイッチと、前記スイッチのオンまたはオフの切換えを行う押圧部と、を備えたディスク装置であって、前記動力源と前記スイッチはディスク装置の外装部品を担うフレームに配設し、前記押圧部は前記フレームと一体に形成することを特徴としている。
【０００８】
また、請求項２に係るディスクローディング機構を備えたディスク装置は、請求項１に記載のディスクローディング機構を備えたディスク装置であって、前記フレームには、摺動可能なスライダーと、前記スライダーの摺動動作に連動して傾動するトラバースユニットを配設し、前記スライダーの摺動動作に連動して前記押圧部が可動することを特徴としている。
【０００９】
また、請求項３に係るディスクローディング機構を備えたディスク装置は、請求項１または請求項２に記載のディスクローディング機構を備えたディスク装置であって、前記スイッチは、一軸方向へ可動する伸縮部分を有するプッシュスイッチであって、前記押圧部は前記伸縮部分の押圧方向に可動することを特徴としている。
【発明の効果】
【００１０】
以上のような本発明の構成によれば、動力源たるモーターの回転を制御するスイッチを押圧するための押圧部をフレームと一体に形成することで、従来必要とされていたスイッチを押圧するための専用部品を削除出来、安価なディスク装置を提供することが可能となる。
【００１１】
さらに、既存の構成部品となるトラバースユニットを可動させるために用いるスライダーと連動してフレームと一体に形成された押圧部を可動する構成とすることで、比較的集約したディスクローディング機構を構成することが出来、ディスク装置の小型化が可能となる。
【００１２】
加えて、モーターの回転を制御するためにプッシュスイッチを用いた場合、前記プッシュスイッチを構成する伸縮部分の押圧方向に押圧部を可動する構造とすることで、プッシュスイッチに係る負荷を軽減出来、前記プッシュスイッチの耐久性を向上することが可能となる。
【図面の簡単な説明】
【００１３】
【図１】本発明の実施例におけるディスク装置の平面側斜視図。
【図２】本発明の実施例におけるディスクを搬送するためのトレイ単体を示す図であり、図２（ａ）はトレイ単体の平面側斜視図、図２（ｂ）は同底面側斜視図。
【図３】本発明の実施例におけるディスク装置であって、トレイを取り外した状態の平面図。
【図４】本発明の実施例におけるトレイ、スライダー、動力伝達機構を構成するプーリー及びギアの関係を示す平面側斜視図。
【図５】本発明の実施例におけるトラバースユニットとスライダーの関係を示す平面側斜視図。
【図６】本発明の実施例におけるディスク装置の底面図。
【図７】本発明の実施例におけるスライダー単体を示す図であり、図７（ａ）はスライダー単体の底面図、図７（ｂ）は同背面図、図７（ｃ）は同平面図。
【図８】本発明の実施例におけるフレームの押圧部近傍を示す底面側部分拡大斜視図。
【図９】本発明の実施例における押圧部と、プッシュスイッチと、スライダーの関係を示す概略図であり、図９（ａ）はディスク交換位置にトレイの搬出が完了した状態を示す底面側概略図、図９（ｂ）は図９（ａ）の状態からスライダーが摺動している途中の状態を示す底面側概略図、図９（ｃ）はスライダーの摺動動作が完了してディスク装置の内部にトレイが収納された状態を示す底面側概略図。
【図１０】本発明の実施例におけるトレイがディスク交換位置にあるときを示す図であり、図１０（ａ）はディスク装置の平面側部分透視図、図１０（ｂ）は同プッシュスイッチ近傍を示す底面側部分拡大図。
【図１１】図１０の状態からユーザーが指でトレイを押して僅かに内側へ移動させたときを示す図であり、図１１（ａ）はディスク装置の平面側部分透視図、図１１（ｂ）は同プッシュスイッチ近傍を示す底面側部分拡大図。
【図１２】図１１の状態からトレイがモーターの動力によってディスク記録再生位置側に移動し、モーターの動力によってスライダーが摺動動作を開始する状態を示す図であり、図１２（ａ）はディスク装置の平面側部分透視図、図１２（ｂ）は同プッシュスイッチ近傍を示す底面側部分拡大図。
【図１３】図１２の状態からスライダーの摺動動作が完了し、ディスクの記録または再生が可能な状態を示す図であり、図１３（ａ）はディスク装置の平面側部分透視図、図１３（ｂ）は同プッシュスイッチ近傍を示す底面側部分拡大図。
【発明を実施するための形態】
【００１４】
以下、本発明を実施するための最良の形態としての実施例を図１〜図１３を用いて説明する。なお、本発明はその主旨に反しない範囲で、実施例において説明した構成以外のものに対しても容易に適用可能である。
【００１５】
図１は本発明の実施例におけるディスク装置の平面側斜視図である。同図の符号１はディスク装置、２はディスク装置１の外装部品を担うフレーム、３はフレーム２に対して摺動可能に組み付けられたトレイを夫々表している。すなわち、本発明の実施例で示すディスク装置１は、ユーザーの手によってディスクの交換を可能とする装置外部の位置（以下、単にディスク交換位置と称す）と、ディスクへの情報の記録またはディスクに記録された情報の再生を可能とする装置内部の位置（以下、単にディスク記録再生位置と称す）の間で前記ディスクを搬送する手段として往復移動を可能とするトレイ３を備えている。
【００１６】
図２は本発明の実施例におけるディスクを搬送するためのトレイ単体を示す図であり、図２（ａ）はトレイ単体の平面側斜視図、図２（ｂ）は同底面側斜視図である。同図で示すように、トレイ３の上面側には、直径が１２０ｍｍの大径ディスクと直径が８０ｍｍの小径ディスクを夫々載置可能とするための凹状の大径ディスク載置面３ａと小径ディスク載置面３ｂが形成されている。すなわち、前記大径ディスク載置面３ａと小径ディスク載置面３ｂによって、ディスクをトレイ３に対して所定の位置に載置することが出来る。また、トレイ３の底面側には、後述するモーターの回転力を動力伝達機構を介してトレイ３に伝達するラックギア３ｃが形成されている。すなわち、トレイ３は、動力源たるモーターによって回転するギアがラックギア３ｃと噛合することで、ディスク交換位置とディスク記録再生位置の間で移動することが出来る。そして、トレイ３の底面側には、前記ラックギア３ｃとは別に概略Ｌ字状のカム溝（以下、単にトレイカム溝と称す）３ｄが形成されている。前記トレイカム溝３ｄには、後述するスライダーに形成されたスライダー凸部が遊嵌し、トレイ３若しくはスライダーの摺動動作に連動する構造としている。
【００１７】
図３は本発明の実施例におけるディスク装置であって、トレイを取り外した状態の平面図である。同図の符号４は記録再生位置に到達したディスクを回転させるためのターンテーブルと、ディスクの情報を読み込み再生する若しくはディスクに情報を書き込み記録するピックアップユニットを主要構成部品として組付けたトラバースユニット、５は記録再生位置に到達したディスクをターンテーブルと共に挟持するクランパー、６はトレイ３の移動方向に対して直交する方向に摺動するスライダー、７は正逆回転可能なモーター、８はプーリー、９はモーター７の回転力をプーリー８へ伝達するベルト、１０はプーリー８と連動して回転するギア、１１はプーリー８、ベルト９、及びギア１０で構成される動力伝達機構である。同図で示すディスク装置１は、モーター７の回転力によってトレイ３の搬送動作とトラバースユニット４の傾動動作を行う構造としている。モーター７の回転力によるトレイ３の搬送動作について詳述すれば、動力伝達機構１１を構成するギア１０がトレイ３のラックギア３ｃと噛合することでモーター７の回転力が前記トレイ３の搬送力として伝達される。また、モーター７の回転力によるトラバースユニット４の傾動動作について詳述すれば、スライダー６はトラバースユニット４と連結した構造となっており、前記ギア１０がスライダー６に形成されるギアと噛合することで、モーター７の回転力が前記スライダー６の摺動力として伝達されて前記トラバースユニット４の傾動力に変換される。
【００１８】
次に、ギア１０と周辺部品の関係について図４を用いて説明する。図４は本発明の実施例におけるトレイ、スライダー、動力伝達機構を構成するプーリー及びギアの関係を示す平面側斜視図である。同図で示すように、ギア１０は上ギア部１０ａと中間ギア部１０ｂと下ギア部１０ｃが一体に形成されている。そして、プーリー８にはプーリーギア８ａが一体に形成されており、前記プーリーギア８ａとギア１０の中間ギア部１０ｂが常時噛合しているため、モーター７の回転力はギア１０に常に伝わる状態となっている。また、トレイ３のラックギア３ｃとギア１０の上ギア部１０ａが噛合可能な構成となっており、前記ラックギア３ｃと前記上ギア部１０ａが噛合しているときには、モーター７によって回転するギア１０の回転力がトレイ３に直接伝わって前記トレイ３が移動するための搬送力となる。さらに、スライダー６にはスライダーギア６ａが一体に形成されており、前記スライダーギア６ａとギア１０の下ギア部１０ｃが噛合可能な構成となっている。前記スライダーギア６ａと前記下ギア部１０ｃが噛合しているときには、モーター７によって回転するギア１０の回転力がスライダー６に直接伝わって前記スライダー６の摺動力となり、前記スライダー６に連結するトラバースユニット４の傾動力に変換される。
【００１９】
次に、トラバースユニット４とスライダー６の関係について図５を用いて説明する。図５は本発明の実施例におけるトラバースユニットとスライダーの関係を示す平面側斜視図である。同図で示すように、トラバースユニット４は、ベース４ａにターンテーブル４ｂとピックアップユニット４ｃを主要構成部品として組付けており、前記ベース４ａには前方に突出した凸部４ｄ，４ｄが設けられている。そして、前記ベース４ａの後方には、図示しないダンパーを介してフレーム２と連結する連結部４ｅが設けられており、トラバースユニット４は前記連結部４ｅを支点に凸部４ｄ，４ｄ側が低位置となる傾斜状態と前記凸部４ｄ，４ｄ側が高位置となる略水平状態の間で傾動可能となっている。一方、スライダー６には前記トラバースユニット４の凸部４ｄ，４ｄが遊嵌する第１のカム溝６ｂ，６ｂが形成されており、前記第１のカム溝６ｂ，６ｂに凸部４ｄ，４ｄが遊嵌した状態の前記トラバースユニット４は、スライダー６の摺動動作に連動して連結部４ｅを支点に傾動する。すなわち、スライダー６に形成された第１のカム溝６ｂ，６ｂに遊嵌するトラバースユニット４の凸部４ｄ，４ｄは、前記スライダー６の摺動動作にあわせて前記第１のカム溝６ｂ，６ｂに沿ってその位置を変えて前記トラバースユニット４が連結部４ｅを支点に傾動する構造となっている。
【００２０】
図６は本発明の実施例におけるディスク装置の底面図である。同図の符号１２は回路基板、１３は前記回路基板に配設されたプッシュスイッチ、１４は前記プッシュスイッチ１３を押圧する押圧部、１５は前記押圧部１４と一体に形成された支持部である。同図で示すように、押圧部１４と支持部１５はフレーム２と一体に形成されており、前記支持部１５は可撓性を有している。そして、前記支持部１５の可撓性を利用して回路基板１２に配設されたプッシュスイッチ１３に対し押圧部１４を接離させてオンまたはオフの切換えを行う構造としている。なお、本実施例において前記プッシュスイッチに対する押圧部１４の接離動作にはスライダー６の摺動動作が関係しており、図７〜図９を用いてさらに詳述する。
【００２１】
図７は本発明の実施例におけるスライダー単体を示す図であり、図７（ａ）はスライダー単体の底面図、図７（ｂ）は同背面図、図７（ｃ）は同平面図、図８は本発明の実施例におけるフレームの押圧部近傍を示す底面側部分拡大斜視図、図９は本発明の実施例における押圧部と、プッシュスイッチと、スライダーの関係を示す概略図であり、図９（ａ）はディスク交換位置にトレイの搬出が完了した状態を示す底面側概略図、図９（ｂ）は図９（ａ）の状態からスライダーが摺動している途中の状態を示す底面側概略図、図９（ｃ）はスライダーの摺動動作が完了してディスク装置の内部にトレイが収納された状態を示す底面側概略図である。同図で示すように、スライダー６には第２のカム溝６ｃが一体に形成されており、押圧部１４には前記第２のカム溝６ｃに遊嵌する押圧部突起１４ａが形成されている。すなわち、前記押圧部１４はスライダー６が摺動することで押圧部突起１４ａが第２のカム溝６ｃに沿って移動し、プッシュスイッチ１３の伸縮部分１３ａを伸縮可能な方向より押圧してオンまたはオフの切換えを行う。ところで、プッシュスイッチ１３を押圧する別の手段として、摺動するスライダー６の縁部分を利用して直接オンまたはオフの切換えを行うことが考えられるが、この場合、伸縮部分１３ａの押圧方向に直交してオンまたはオフの切換えを行うこととなり、安価なプッシュスイッチ１３であれば伸縮部分１３ａに係る負荷が大きくなって部品寿命の低下や破損の要因となる虞がある。そこで、本発明の実施例で示す構造であれば、部品点数を増やすことなく伸縮部分１３ａの押圧方向よりプッシュスイッチ１３を押圧することが出来、安価な構造によって部品寿命の低下を抑えることが可能となる。なお、スライダー６には前述したトレイ３の底面側に形成されたトレイカム溝３ｄに遊嵌する第一のスライダー凸部６ｄと前記トレイカム溝３ｄの側壁の外側に位置する第二のスライダー凸部６ｅが形成されている。これは、ギア１０の上ギア部１０ａとラックギア３ｃ、または、ギア１０の下ギア部１０ｃとスライダーギア６ａの噛合状態の切換えを行うために必要となる。
【００２２】
以上、本発明の実施例における構造について説明したが、次に本発明の実施例で示すディスク装置の具体的な動作について図１０〜図１３を用いて説明する。
【００２３】
図１０は本発明の実施例におけるトレイがディスク交換位置にあるときを示す図であり、図１０（ａ）はディスク装置の平面側部分透視図、図１０（ｂ）は同プッシュスイッチ近傍を示す底面側部分拡大図である。なお、ディスク装置１の内部の状況を明確にするため、同図ではトレイ３の平面側を破線で示している。同図で示すように、トレイ３がディスク交換位置にあるときには、ユーザーは前記トレイ３の上面側に形成された大径ディスク載置面３ａまたは小径ディスク載置面３ｂに沿って大径ディスクまたは小径ディスクの載置、或いは前記ディスクの交換を行うことが出来る。また、同図で示す状態では、トラバースユニット４は連結部４ｅを支点として傾斜した状態にあり、また、回路基板１２に配設されたプッシュスイッチ１３の伸縮部分１３ａは押圧部１４によって押圧された状態にある。なお、本実施例では同図の状態でモーター７は停止しており、プッシュスイッチ１３の伸縮部分１３ａから押圧部１４が離間することでモーター７が回転するよう制御している。
【００２４】
図１１は図１０の状態からユーザーが指でトレイを押して僅かに内側へ移動させたときを示す図であり、図１１（ａ）はディスク装置の平面側部分透視図、図１１（ｂ）は同プッシュスイッチ近傍を示す底面側部分拡大図である。なお、図１０と同様に、トレイ３の平面側は破線で示している。同図で示すように、ディスク交換位置にあるトレイ３の先端部分をユーザーが指で矢印Ａの方向へ僅かに押すことで、スライダー６は第一のスライダー凸部６ｄおよび第二のスライダー凸部６ｅによって前記トレイ３のトレイカム溝３ｄに沿って矢印Ｂの方向へと僅かに移動し、前記スライダー６の移動に伴い押圧部突起１４ａは第２のカム溝６ｃに沿って移動する。その結果、プッシュスイッチ１３の伸縮部分１３ａを押圧していた押圧部１４は、前記伸縮部分１３ａより離間してモーター７が矢印Ｃの方向へ回転を開始し、前記モーター７の回転に伴いギア１０はトレイ３をディスク記録再生位置へ引き込む方向に回転を始める。このとき、トレイ３のラックギア３ｃはギア１０の上ギア部１０ａと噛合しており、スライダー６のスライダーギア６ａは前記ギア１０の下ギア部１０ｃから離れている。そのため、前記ギア１０の回転によってトレイ３のみが摺動する。
【００２５】
図１２は図１１の状態からトレイがモーターの動力によってディスク記録再生位置側に移動し、モーターの動力によってスライダーが摺動動作を開始する状態を示す図であり、図１２（ａ）はディスク装置の平面側部分透視図、図１２（ｂ）は同プッシュスイッチ近傍を示す底面側部分拡大図である。なお、図１０および図１１と同様に、トレイ３の平面側は破線で示し、さらにスライダーギア６ａと下ギア部１０ｃの噛合状態を明確にするため、ギア１０を部分的に切欠いている。同図で示すように、トレイ３がディスク交換位置からディスク記録再生位置に到達する直前で、スライダー６の第一のスライダー凸部６ｄおよび第二のスライダー凸部６ｅは前記トレイ３のトレイカム溝３ｄに沿って僅かに移動し、前記スライダー６のスライダーギア６ａはギア１０の下ギア部１０ｃと噛合する。その結果、前記ギア１０の回転によってスライダー６は摺動を開始する。一方、トレイ３のラックギア３ｃは前記ギア１０の上ギア部１０ａから前記スライダー６の摺動動作によって離間する。具体的には、ギア１０の回転によって摺動するスライダー６の第一のスライダー凸部６ｄが、概略Ｌ字状に形成されたトレイ３のトレイカム溝３ｄを押圧することで、前記トレイ３は僅かにディスク記録再生位置側へと移動し、ラックギア３ｃはギア１０の上ギア部１０ａから離間する。その結果、モーター７の回転力はスライダー６にのみ伝達され、前記スライダー６のみが摺動する。なお、押圧部１４はプッシュスイッチ１３の伸縮部分１３ａより離間したままとなっている。
【００２６】
図１３は図１２の状態からスライダーの摺動動作が完了し、ディスクの記録または再生が可能な状態を示す図であり、図１３（ａ）はディスク装置の平面側部分透視図、図１３（ｂ）は同プッシュスイッチ近傍を示す底面側部分拡大図である。なお、図１２と同様に、トレイ３の平面側は破線で示し、ギア１０を部分的に切欠いている。スライダー６の摺動に伴って第１のカム溝６ｂ，６ｂに遊嵌したトラバースユニット４の凸部４ｄ，４ｄは、前記第１のカム溝６ｂ，６ｂに沿って低位置から高位置へ移動し、前記トラバースユニット４は連結部４ｅを支点に傾斜状態から略水平状態となるように傾動して、トレイ３の大径ディスク載置部３ａまたは小径ディスク載置部３ｂに載置されたディスクは前記トラバースユニット４の主要構成部品たるターンテーブル４ｂによって前記トレイ３より持ち上げられ、前記ディスクは前記ターンテーブル４ｂと前記ターンテーブル４ｂの対向位置に配置されたクランパー５によって挟持される。そして、同図で示す位置までスライダー６が摺動することで、押圧部１４は前記スライダー６の第２のカム溝６ｃに遊嵌する押圧部突起１４ａの移動に伴ってプッシュスイッチ１３の伸縮部分１３ａを押圧し、回転していたモーター７は停止する。この状態からターンテーブル４ｂは回転を始め、前記ターンテーブル４ｂと共にディスク及びクランパー５も回転し、回転する前記ディスクに対してピックアップユニット４ｃによる情報の読み込みまたは情報の書き込みが行われる。
【００２７】
以上、本発明の実施例で示すディスク装置の具体的な動作について、ディスク交換位置にあるトレイ３をユーザーが指で押して僅かに内側へ移動させてから、前記トレイ３がディスク記録再生位置に到達してディスクの記録または再生が可能な状態に至るまでの動作について説明したが、別の動作として、ディスク交換位置にあるトレイ３をユーザーが指で押さずに搬入動作を行う場合が考えられる。すなわち、本発明の実施例で示すディスク装置１を内蔵する電子機器であって、前記電子機器に備えた操作ボタンのうち、ユーザーがトレイ３をディスク交換位置からディスク記録再生位置へと搬入するためのボタンを押圧する場合であり、この場合は前記操作ボタンを押圧することでモーター７が回転し、それ以降の動作については前述と同様となる。さらに別の動作として、トレイ３がディスク記録再生位置からディスク交換位置に移動するまでの動作が考えられるが、この場合については前述と逆の動作になる。すなわち、本発明の実施例で示すディスク装置１を内蔵する電子機器に備えた操作ボタンのうち、ユーザーがトレイ３をディスク記録再生位置からディスク交換位置へ搬出するためのボタンを押圧することでモーター７は前述とは逆の方向に回転を始め、スライダー６とトレイ３の摺動動作を前述とは逆の順で行っていく。
【００２８】
以上、本発明の一実施例について詳述したが、本発明は前記実施例に限定されるものではなく、本発明の主旨の範囲内で種々の変形実施が可能である。例えば、本発明の実施例ではプッシュスイッチの伸縮部分から押圧部が離間したときにモーターが回転する構造について説明したが、前記押圧部によってプッシュスイッチの伸縮部分を押圧したときにモーターが回転する構造としてもよい。また、本発明の実施例では比較的安価なプッシュスイッチを使用した場合について説明したが、スイッチを押圧するための押圧部をディスク装置の外装部品を担うフレームと一体に形成するという本発明の主たる特徴を逸脱しない範囲でスイッチを含む他の部品形状や構成についても適宜選定することは可能である。加えて、本発明の実施例で示すトレイを備えたディスク装置以外でも、例えばディスクの挿抜を直接可能とするスロットイン方式のディスク装置などにおいても適用可能である。
【符号の説明】
【００２９】
１    ディスク装置
２    フレーム
３    トレイ
３ａ  大径ディスク載置面
３ｂ  小径ディスク載置面
３ｃ  ラックギア
３ｄ  トレイカム溝
４    トラバースユニット
４ａ  ベース
４ｂ  ターンテーブル
４ｃ  ピックアップユニット
４ｄ  凸部
４ｅ  連結部
５    クランパー
６    スライダー
６ａ  スライダーギア
６ｂ  第１のカム溝
６ｃ  第２のカム溝
６ｄ  第一のスライダー凸部
６ｅ  第二のスライダー凸部
７    モーター
８    プーリー
８ａ  プーリーギア
９    ベルト
１０    ギア
１０ａ  上ギア部
１０ｂ  中間ギア部
１０ｃ  下ギア部
１１    動力伝達機構
１２    回路基板
１３    プッシュスイッチ
１４    押圧部
１４ａ  押圧部突起
１５    支持部
【図１】
2011192328.tif 000003
【図２】
2011192328.tif 000004
【図３】
2011192328.tif 000005
【図４】
2011192328.tif 000006
【図５】
2011192328.tif 000007
【図６】
2011192328.tif 000008
【図７】
2011192328.tif 000009
【図８】
2011192328.tif 000010
【図９】
2011192328.tif 000011
【図１０】
2011192328.tif 000012
【図１１】
2011192328.tif 000013
【図１２】
2011192328.tif 000014
【図１３】
2011192328.tif 000015
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
外装部品を担うフレームと、ディスクを搬送する動力源と、前記動力源の起動または停止をオンまたはオフの切換えによって制御するスイッチと、前記スイッチのオンまたはオフの切換えを行う押圧部と、摺動可能なスライダーと、前記スライダーの摺動動作に連動して傾動するトラバースユニットと、を備えたディスク装置であって、前記動力源と前記スイッチと前記スライダーと前記トラバースユニットを前記フレームに配設し、前記押圧部は前記フレームと一体に形成し、前記スライダーには前記押圧部を移動するためのカム溝を形成し、前記押圧部には前記カム溝に遊嵌する押圧部突起を形成し、前記スライダーの摺動動作に連動して前記押圧部が前記スイッチに対し押圧／離間する方向に可動することを特徴とするディスクローディング機構を備えたディスク装置。
【請求項２】
前記スイッチは、一軸方向へ可動する伸縮部分を有するプッシュスイッチであって、前記押圧部は前記伸縮部分の押圧方向に可動することを特徴とする請求項１に記載のディスク装置。
【手続補正２】
【補正対象書類名】明細書
【補正対象項目名】全文
【補正方法】変更
【補正の内容】
【発明の詳細な説明】
【技術分野】
【０００１】
本発明は、ブルーレイディスク（Ｂｌｕ−ｒａｙ  Ｄｉｓｃ）やＤＶＤ（Ｄｉｇｉｔａｌ  Ｖｅｒｓａｔｉｌｅ  Ｄｉｓｃ）、或いはＣＤ（Ｃｏｍｐａｃｔ  Ｄｉｓｃ）などのディスクを媒体として記録／再生を行うディスク装置に係り、特に、ディスク装置の外部と内部の間でディスクを搬送するためのディスクローディング機構を備えたディスク装置に関するものである。
【背景技術】
【０００２】
ディスクローディング機構とは、ディスクをディスク装置の外部から前記ディスク装置内部の所定位置へ搬送するための機構であり、例えば、ディスク装置の外部と内部の間で往復移動を可能とするトレイを備え、前記トレイにディスクを載置し、モーターを動力源として前記トレイを搬送する機構や、ディスクの挿抜を直接行う挿入口を設け、前記挿入口の内部にディスクを搬送するための搬送ローラーを配設し、同じくモーターを動力源としてディスクを搬送する機構などがある。そして、前記ディスクローディング機構には、トレイまたはディスクの位置を検出して動力源たるモーターの回転を制御する手段を設けている。
【０００３】
特許文献１には、ディスクを載置して搬送するトレイの位置を一つのスイッチで検出するために、ディスク装置に装着したスイッチに近接して前記スイッチを押圧するレバーを枢着状態で回動可能に配設し、前記トレイの搬送動作によって上下移動と左右移動をするトラバースユニットの先端にＬ字片を設け、さらにトレイには前記レバーを押圧する突起部を別途設けた構造が記載されている。
【０００４】
【特許文献１】特開２００６−１８９５９号公報
【発明の開示】
【発明が解決しようとする課題】
【０００５】
特許文献１の構造によれば、トレイがディスク装置の内部にあるときはトラバースユニットがスイッチ側に移動し、レバーを枢着部分を中心に回動させてスイッチを押圧し、トレイが搬送途中のときは前記スイッチを押圧しない状態とし、トレイがディスク装置の外部にあるときはトレイの突起部によって前記レバーを押圧することが出来る。その結果、単一のスイッチによってトレイを搬送するモーターの制御が可能となり、また、スイッチの押圧方向より押圧することで前記スイッチの耐久性の向上が望める。しかし、ディスク装置にスイッチを押圧するための部品としてレバーを設ける必要があり、部品の増加に伴うディスク装置の費用高騰や、設置スペースの確保に伴うディスク装置の大型化が懸念される。また、トラバースユニットとトレイに夫々レバーを押圧するためのＬ字片や突起部を設ける必要があり、部品の形状やディスク装置の構造が複雑になることが考えられる。
【０００６】
本発明は上述した点に鑑みてなされたものであって、その目的とするところは、単一のスイッチによってディスクを搬送する動力源の制御を簡素な構造によって実現し、また、関連部品の集約によりディスク装置の小型化が出来、さらに、スイッチの耐久性向上を図ることが可能なディスクローディング機構を備えたディスク装置を提供することにある。
【課題を解決するための手段】
【０００７】
請求項１に係るディスクローディング機構を備えたディスク装置は、外装部品を担うフレームと、ディスクを搬送する動力源と、前記動力源の起動または停止をオンまたはオフの切換えによって制御するスイッチと、前記スイッチのオンまたはオフの切換えを行う押圧部と、摺動可能なスライダーと、前記スライダーの摺動動作に連動して傾動するトラバースユニットと、を備えたディスク装置であって、前記動力源と前記スイッチと前記スライダーと前記トラバースユニットを前記フレームに配設し、前記押圧部は前記フレームと一体に形成し、前記スライダーには前記押圧部を移動するためのカム溝を形成し、前記押圧部には前記カム溝に遊嵌する押圧部突起を形成し、前記スライダーの摺動動作に連動して前記押圧部が前記スイッチに対し押圧／離間する方向に可動することを特徴としている。
【０００８】
また、請求項２に係るディスクローディング機構を備えたディスク装置は、請求項１に記載のディスクローディング機構を備えたディスク装置であって、前記スイッチは、一軸方向へ可動する伸縮部分を有するプッシュスイッチであって、前記押圧部は前記伸縮部分の押圧方向に可動することを特徴としている。
【発明の効果】
【０００９】
以上のような本発明の構成によれば、動力源たるモーターの回転を制御するスイッチを押圧するための押圧部をフレームと一体に形成することで、従来必要とされていたスイッチを押圧するための専用部品を削除出来、安価なディスク装置を提供することが可能となる。
【００１０】
さらに、既存の構成部品となるトラバースユニットを可動させるために用いるスライダーと連動してフレームと一体に形成された押圧部を可動する構成とすることで、比較的集約したディスクローディング機構を構成することが出来、ディスク装置の小型化が可能となる。
【００１１】
加えて、モーターの回転を制御するためにプッシュスイッチを用いた場合、前記プッシュスイッチを構成する伸縮部分の押圧方向に押圧部を可動する構造とすることで、プッシュスイッチに係る負荷を軽減出来、前記プッシュスイッチの耐久性を向上することが可能となる。
【図面の簡単な説明】
【００１２】
【図１】本発明の実施例におけるディスク装置の平面側斜視図。
【図２】本発明の実施例におけるディスクを搬送するためのトレイ単体を示す図であり、図２（ａ）はトレイ単体の平面側斜視図、図２（ｂ）は同底面側斜視図。
【図３】本発明の実施例におけるディスク装置であって、トレイを取り外した状態の平面図。
【図４】本発明の実施例におけるトレイ、スライダー、動力伝達機構を構成するプーリー及びギアの関係を示す平面側斜視図。
【図５】本発明の実施例におけるトラバースユニットとスライダーの関係を示す平面側斜視図。
【図６】本発明の実施例におけるディスク装置の底面図。
【図７】本発明の実施例におけるスライダー単体を示す図であり、図７（ａ）はスライダー単体の底面図、図７（ｂ）は同背面図、図７（ｃ）は同平面図。
【図８】本発明の実施例におけるフレームの押圧部近傍を示す底面側部分拡大斜視図。
【図９】本発明の実施例における押圧部と、プッシュスイッチと、スライダーの関係を示す概略図であり、図９（ａ）はディスク交換位置にトレイの搬出が完了した状態を示す底面側概略図、図９（ｂ）は図９（ａ）の状態からスライダーが摺動している途中の状態を示す底面側概略図、図９（ｃ）はスライダーの摺動動作が完了してディスク装置の内部にトレイが収納された状態を示す底面側概略図。
【図１０】本発明の実施例におけるトレイがディスク交換位置にあるときを示す図であり、図１０（ａ）はディスク装置の平面側部分透視図、図１０（ｂ）は同プッシュスイッチ近傍を示す底面側部分拡大図。
【図１１】図１０の状態からユーザーが指でトレイを押して僅かに内側へ移動させたときを示す図であり、図１１（ａ）はディスク装置の平面側部分透視図、図１１（ｂ）は同プッシュスイッチ近傍を示す底面側部分拡大図。
【図１２】図１１の状態からトレイがモーターの動力によってディスク記録再生位置側に移動し、モーターの動力によってスライダーが摺動動作を開始する状態を示す図であり、図１２（ａ）はディスク装置の平面側部分透視図、図１２（ｂ）は同プッシュスイッチ近傍を示す底面側部分拡大図。
【図１３】図１２の状態からスライダーの摺動動作が完了し、ディスクの記録または再生が可能な状態を示す図であり、図１３（ａ）はディスク装置の平面側部分透視図、図１３（ｂ）は同プッシュスイッチ近傍を示す底面側部分拡大図。
【発明を実施するための形態】
【００１３】
以下、本発明を実施するための最良の形態としての実施例を図１〜図１３を用いて説明する。なお、本発明はその主旨に反しない範囲で、実施例において説明した構成以外のものに対しても容易に適用可能である。
【００１４】
図１は本発明の実施例におけるディスク装置の平面側斜視図である。同図の符号１はディスク装置、２はディスク装置１の外装部品を担うフレーム、３はフレーム２に対して摺動可能に組み付けられたトレイを夫々表している。すなわち、本発明の実施例で示すディスク装置１は、ユーザーの手によってディスクの交換を可能とする装置外部の位置（以下、単にディスク交換位置と称す）と、ディスクへの情報の記録またはディスクに記録された情報の再生を可能とする装置内部の位置（以下、単にディスク記録再生位置と称す）の間で前記ディスクを搬送する手段として往復移動を可能とするトレイ３を備えている。
【００１５】
図２は本発明の実施例におけるディスクを搬送するためのトレイ単体を示す図であり、図２（ａ）はトレイ単体の平面側斜視図、図２（ｂ）は同底面側斜視図である。同図で示すように、トレイ３の上面側には、直径が１２０ｍｍの大径ディスクと直径が８０ｍｍの小径ディスクを夫々載置可能とするための凹状の大径ディスク載置面３ａと小径ディスク載置面３ｂが形成されている。すなわち、前記大径ディスク載置面３ａと小径ディスク載置面３ｂによって、ディスクをトレイ３に対して所定の位置に載置することが出来る。また、トレイ３の底面側には、後述するモーターの回転力を動力伝達機構を介してトレイ３に伝達するラックギア３ｃが形成されている。すなわち、トレイ３は、動力源たるモーターによって回転するギアがラックギア３ｃと噛合することで、ディスク交換位置とディスク記録再生位置の間で移動することが出来る。そして、トレイ３の底面側には、前記ラックギア３ｃとは別に概略Ｌ字状のカム溝（以下、単にトレイカム溝と称す）３ｄが形成されている。前記トレイカム溝３ｄには、後述するスライダーに形成されたスライダー凸部が遊嵌し、トレイ３若しくはスライダーの摺動動作に連動する構造としている。
【００１６】
図３は本発明の実施例におけるディスク装置であって、トレイを取り外した状態の平面図である。同図の符号４は記録再生位置に到達したディスクを回転させるためのターンテーブルと、ディスクの情報を読み込み再生する若しくはディスクに情報を書き込み記録するピックアップユニットを主要構成部品として組付けたトラバースユニット、５は記録再生位置に到達したディスクをターンテーブルと共に挟持するクランパー、６はトレイ３の移動方向に対して直交する方向に摺動するスライダー、７は正逆回転可能なモーター、８はプーリー、９はモーター７の回転力をプーリー８へ伝達するベルト、１０はプーリー８と連動して回転するギア、１１はプーリー８、ベルト９、及びギア１０で構成される動力伝達機構である。同図で示すディスク装置１は、モーター７の回転力によってトレイ３の搬送動作とトラバースユニット４の傾動動作を行う構造としている。モーター７の回転力によるトレイ３の搬送動作について詳述すれば、動力伝達機構１１を構成するギア１０がトレイ３のラックギア３ｃと噛合することでモーター７の回転力が前記トレイ３の搬送力として伝達される。また、モーター７の回転力によるトラバースユニット４の傾動動作について詳述すれば、スライダー６はトラバースユニット４と連結した構造となっており、前記ギア１０がスライダー６に形成されるギアと噛合することで、モーター７の回転力が前記スライダー６の摺動力として伝達されて前記トラバースユニット４の傾動力に変換される。
【００１７】
次に、ギア１０と周辺部品の関係について図４を用いて説明する。図４は本発明の実施例におけるトレイ、スライダー、動力伝達機構を構成するプーリー及びギアの関係を示す平面側斜視図である。同図で示すように、ギア１０は上ギア部１０ａと中間ギア部１０ｂと下ギア部１０ｃが一体に形成されている。そして、プーリー８にはプーリーギア８ａが一体に形成されており、前記プーリーギア８ａとギア１０の中間ギア部１０ｂが常時噛合しているため、モーター７の回転力はギア１０に常に伝わる状態となっている。また、トレイ３のラックギア３ｃとギア１０の上ギア部１０ａが噛合可能な構成となっており、前記ラックギア３ｃと前記上ギア部１０ａが噛合しているときには、モーター７によって回転するギア１０の回転力がトレイ３に直接伝わって前記トレイ３が移動するための搬送力となる。さらに、スライダー６にはスライダーギア６ａが一体に形成されており、前記スライダーギア６ａとギア１０の下ギア部１０ｃが噛合可能な構成となっている。前記スライダーギア６ａと前記下ギア部１０ｃが噛合しているときには、モーター７によって回転するギア１０の回転力がスライダー６に直接伝わって前記スライダー６の摺動力となり、前記スライダー６に連結するトラバースユニット４の傾動力に変換される。
【００１８】
次に、トラバースユニット４とスライダー６の関係について図５を用いて説明する。図５は本発明の実施例におけるトラバースユニットとスライダーの関係を示す平面側斜視図である。同図で示すように、トラバースユニット４は、ベース４ａにターンテーブル４ｂとピックアップユニット４ｃを主要構成部品として組付けており、前記ベース４ａには前方に突出した凸部４ｄ，４ｄが設けられている。そして、前記ベース４ａの後方には、図示しないダンパーを介してフレーム２と連結する連結部４ｅが設けられており、トラバースユニット４は前記連結部４ｅを支点に凸部４ｄ，４ｄ側が低位置となる傾斜状態と前記凸部４ｄ，４ｄ側が高位置となる略水平状態の間で傾動可能となっている。一方、スライダー６には前記トラバースユニット４の凸部４ｄ，４ｄが遊嵌する第１のカム溝６ｂ，６ｂが形成されており、前記第１のカム溝６ｂ，６ｂに凸部４ｄ，４ｄが遊嵌した状態の前記トラバースユニット４は、スライダー６の摺動動作に連動して連結部４ｅを支点に傾動する。すなわち、スライダー６に形成された第１のカム溝６ｂ，６ｂに遊嵌するトラバースユニット４の凸部４ｄ，４ｄは、前記スライダー６の摺動動作にあわせて前記第１のカム溝６ｂ，６ｂに沿ってその位置を変えて前記トラバースユニット４が連結部４ｅを支点に傾動する構造となっている。
【００１９】
図６は本発明の実施例におけるディスク装置の底面図である。同図の符号１２は回路基板、１３は前記回路基板に配設されたプッシュスイッチ、１４は前記プッシュスイッチ１３を押圧する押圧部、１５は前記押圧部１４と一体に形成された支持部である。同図で示すように、押圧部１４と支持部１５はフレーム２と一体に形成されており、前記支持部１５は可撓性を有している。そして、前記支持部１５の可撓性を利用して回路基板１２に配設されたプッシュスイッチ１３に対し押圧部１４を接離させてオンまたはオフの切換えを行う構造としている。なお、本実施例において前記プッシュスイッチに対する押圧部１４の接離動作にはスライダー６の摺動動作が関係しており、図７〜図９を用いてさらに詳述する。
【００２０】
図７は本発明の実施例におけるスライダー単体を示す図であり、図７（ａ）はスライダー単体の底面図、図７（ｂ）は同背面図、図７（ｃ）は同平面図、図８は本発明の実施例におけるフレームの押圧部近傍を示す底面側部分拡大斜視図、図９は本発明の実施例における押圧部と、プッシュスイッチと、スライダーの関係を示す概略図であり、図９（ａ）はディスク交換位置にトレイの搬出が完了した状態を示す底面側概略図、図９（ｂ）は図９（ａ）の状態からスライダーが摺動している途中の状態を示す底面側概略図、図９（ｃ）はスライダーの摺動動作が完了してディスク装置の内部にトレイが収納された状態を示す底面側概略図である。同図で示すように、スライダー６には第２のカム溝６ｃが一体に形成されており、押圧部１４には前記第２のカム溝６ｃに遊嵌する押圧部突起１４ａが形成されている。すなわち、前記押圧部１４はスライダー６が摺動することで押圧部突起１４ａが第２のカム溝６ｃに沿って移動し、プッシュスイッチ１３の伸縮部分１３ａを伸縮可能な方向より押圧してオンまたはオフの切換えを行う。ところで、プッシュスイッチ１３を押圧する別の手段として、摺動するスライダー６の縁部分を利用して直接オンまたはオフの切換えを行うことが考えられるが、この場合、伸縮部分１３ａの押圧方向に直交してオンまたはオフの切換えを行うこととなり、安価なプッシュスイッチ１３であれば伸縮部分１３ａに係る負荷が大きくなって部品寿命の低下や破損の要因となる虞がある。そこで、本発明の実施例で示す構造であれば、部品点数を増やすことなく伸縮部分１３ａの押圧方向よりプッシュスイッチ１３を押圧することが出来、安価な構造によって部品寿命の低下を抑えることが可能となる。なお、スライダー６には前述したトレイ３の底面側に形成されたトレイカム溝３ｄに遊嵌する第一のスライダー凸部６ｄと前記トレイカム溝３ｄの側壁の外側に位置する第二のスライダー凸部６ｅが形成されている。これは、ギア１０の上ギア部１０ａとラックギア３ｃ、または、ギア１０の下ギア部１０ｃとスライダーギア６ａの噛合状態の切換えを行うために必要となる。
【００２１】
以上、本発明の実施例における構造について説明したが、次に本発明の実施例で示すディスク装置の具体的な動作について図１０〜図１３を用いて説明する。
【００２２】
図１０は本発明の実施例におけるトレイがディスク交換位置にあるときを示す図であり、図１０（ａ）はディスク装置の平面側部分透視図、図１０（ｂ）は同プッシュスイッチ近傍を示す底面側部分拡大図である。なお、ディスク装置１の内部の状況を明確にするため、同図ではトレイ３の平面側を破線で示している。同図で示すように、トレイ３がディスク交換位置にあるときには、ユーザーは前記トレイ３の上面側に形成された大径ディスク載置面３ａまたは小径ディスク載置面３ｂに沿って大径ディスクまたは小径ディスクの載置、或いは前記ディスクの交換を行うことが出来る。また、同図で示す状態では、トラバースユニット４は連結部４ｅを支点として傾斜した状態にあり、また、回路基板１２に配設されたプッシュスイッチ１３の伸縮部分１３ａは押圧部１４によって押圧された状態にある。なお、本実施例では同図の状態でモーター７は停止しており、プッシュスイッチ１３の伸縮部分１３ａから押圧部１４が離間することでモーター７が回転するよう制御している。
【００２３】
図１１は図１０の状態からユーザーが指でトレイを押して僅かに内側へ移動させたときを示す図であり、図１１（ａ）はディスク装置の平面側部分透視図、図１１（ｂ）は同プッシュスイッチ近傍を示す底面側部分拡大図である。なお、図１０と同様に、トレイ３の平面側は破線で示している。同図で示すように、ディスク交換位置にあるトレイ３の先端部分をユーザーが指で矢印Ａの方向へ僅かに押すことで、スライダー６は第一のスライダー凸部６ｄおよび第二のスライダー凸部６ｅによって前記トレイ３のトレイカム溝３ｄに沿って矢印Ｂの方向へと僅かに移動し、前記スライダー６の移動に伴い押圧部突起１４ａは第２のカム溝６ｃに沿って移動する。その結果、プッシュスイッチ１３の伸縮部分１３ａを押圧していた押圧部１４は、前記伸縮部分１３ａより離間してモーター７が矢印Ｃの方向へ回転を開始し、前記モーター７の回転に伴いギア１０はトレイ３をディスク記録再生位置へ引き込む方向に回転を始める。このとき、トレイ３のラックギア３ｃはギア１０の上ギア部１０ａと噛合しており、スライダー６のスライダーギア６ａは前記ギア１０の下ギア部１０ｃから離れている。そのため、前記ギア１０の回転によってトレイ３のみが摺動する。
【００２４】
図１２は図１１の状態からトレイがモーターの動力によってディスク記録再生位置側に移動し、モーターの動力によってスライダーが摺動動作を開始する状態を示す図であり、図１２（ａ）はディスク装置の平面側部分透視図、図１２（ｂ）は同プッシュスイッチ近傍を示す底面側部分拡大図である。なお、図１０および図１１と同様に、トレイ３の平面側は破線で示し、さらにスライダーギア６ａと下ギア部１０ｃの噛合状態を明確にするため、ギア１０を部分的に切欠いている。同図で示すように、トレイ３がディスク交換位置からディスク記録再生位置に到達する直前で、スライダー６の第一のスライダー凸部６ｄおよび第二のスライダー凸部６ｅは前記トレイ３のトレイカム溝３ｄに沿って僅かに移動し、前記スライダー６のスライダーギア６ａはギア１０の下ギア部１０ｃと噛合する。その結果、前記ギア１０の回転によってスライダー６は摺動を開始する。一方、トレイ３のラックギア３ｃは前記ギア１０の上ギア部１０ａから前記スライダー６の摺動動作によって離間する。具体的には、ギア１０の回転によって摺動するスライダー６の第一のスライダー凸部６ｄが、概略Ｌ字状に形成されたトレイ３のトレイカム溝３ｄを押圧することで、前記トレイ３は僅かにディスク記録再生位置側へと移動し、ラックギア３ｃはギア１０の上ギア部１０ａから離間する。その結果、モーター７の回転力はスライダー６にのみ伝達され、前記スライダー６のみが摺動する。なお、押圧部１４はプッシュスイッチ１３の伸縮部分１３ａより離間したままとなっている。
【００２５】
図１３は図１２の状態からスライダーの摺動動作が完了し、ディスクの記録または再生が可能な状態を示す図であり、図１３（ａ）はディスク装置の平面側部分透視図、図１３（ｂ）は同プッシュスイッチ近傍を示す底面側部分拡大図である。なお、図１２と同様に、トレイ３の平面側は破線で示し、ギア１０を部分的に切欠いている。スライダー６の摺動に伴って第１のカム溝６ｂ，６ｂに遊嵌したトラバースユニット４の凸部４ｄ，４ｄは、前記第１のカム溝６ｂ，６ｂに沿って低位置から高位置へ移動し、前記トラバースユニット４は連結部４ｅを支点に傾斜状態から略水平状態となるように傾動して、トレイ３の大径ディスク載置部３ａまたは小径ディスク載置部３ｂに載置されたディスクは前記トラバースユニット４の主要構成部品たるターンテーブル４ｂによって前記トレイ３より持ち上げられ、前記ディスクは前記ターンテーブル４ｂと前記ターンテーブル４ｂの対向位置に配置されたクランパー５によって挟持される。そして、同図で示す位置までスライダー６が摺動することで、押圧部１４は前記スライダー６の第２のカム溝６ｃに遊嵌する押圧部突起１４ａの移動に伴ってプッシュスイッチ１３の伸縮部分１３ａを押圧し、回転していたモーター７は停止する。この状態からターンテーブル４ｂは回転を始め、前記ターンテーブル４ｂと共にディスク及びクランパー５も回転し、回転する前記ディスクに対してピックアップユニット４ｃによる情報の読み込みまたは情報の書き込みが行われる。
【００２６】
以上、本発明の実施例で示すディスク装置の具体的な動作について、ディスク交換位置にあるトレイ３をユーザーが指で押して僅かに内側へ移動させてから、前記トレイ３がディスク記録再生位置に到達してディスクの記録または再生が可能な状態に至るまでの動作について説明したが、別の動作として、ディスク交換位置にあるトレイ３をユーザーが指で押さずに搬入動作を行う場合が考えられる。すなわち、本発明の実施例で示すディスク装置１を内蔵する電子機器であって、前記電子機器に備えた操作ボタンのうち、ユーザーがトレイ３をディスク交換位置からディスク記録再生位置へと搬入するためのボタンを押圧する場合であり、この場合は前記操作ボタンを押圧することでモーター７が回転し、それ以降の動作については前述と同様となる。さらに別の動作として、トレイ３がディスク記録再生位置からディスク交換位置に移動するまでの動作が考えられるが、この場合については前述と逆の動作になる。すなわち、本発明の実施例で示すディスク装置１を内蔵する電子機器に備えた操作ボタンのうち、ユーザーがトレイ３をディスク記録再生位置からディスク交換位置へ搬出するためのボタンを押圧することでモーター７は前述とは逆の方向に回転を始め、スライダー６とトレイ３の摺動動作を前述とは逆の順で行っていく。
【００２７】
以上、本発明の一実施例について詳述したが、本発明は前記実施例に限定されるものではなく、本発明の主旨の範囲内で種々の変形実施が可能である。例えば、本発明の実施例ではプッシュスイッチの伸縮部分から押圧部が離間したときにモーターが回転する構造について説明したが、前記押圧部によってプッシュスイッチの伸縮部分を押圧したときにモーターが回転する構造としてもよい。また、本発明の実施例では比較的安価なプッシュスイッチを使用した場合について説明したが、スイッチを押圧するための押圧部をディスク装置の外装部品を担うフレームと一体に形成するという本発明の主たる特徴を逸脱しない範囲でスイッチを含む他の部品形状や構成についても適宜選定することは可能である。加えて、本発明の実施例で示すトレイを備えたディスク装置以外でも、例えばディスクの挿抜を直接可能とするスロットイン方式のディスク装置などにおいても適用可能である。
【符号の説明】
【００２８】
１    ディスク装置
２    フレーム
３    トレイ
３ａ  大径ディスク載置面
３ｂ  小径ディスク載置面
３ｃ  ラックギア
３ｄ  トレイカム溝
４    トラバースユニット
４ａ  ベース
４ｂ  ターンテーブル
４ｃ  ピックアップユニット
４ｄ  凸部
４ｅ  連結部
５    クランパー
６    スライダー
６ａ  スライダーギア
６ｂ  第１のカム溝
６ｃ  第２のカム溝
６ｄ  第一のスライダー凸部
６ｅ  第二のスライダー凸部
７    モーター
８    プーリー
８ａ  プーリーギア
９    ベルト
１０    ギア
１０ａ  上ギア部
１０ｂ  中間ギア部
１０ｃ  下ギア部
１１    動力伝達機構
１２    回路基板
１３    プッシュスイッチ
１４    押圧部
１４ａ  押圧部突起
１５    支持部